(57)【要約】【課題】和服の胴体前面及び袖部の汚れを効果的に防止する和装用エプロンを提供することを課題とする。【解決手段】少なくとも着用者の胴体前部を被覆するエプロン本体２と、前記エプロン本体２の上部に取り付けられた首掛紐３と、前記エプロン本体２の両側側辺部それぞれに取り付けられた紐状部材５とを有するエプロンであって、前記紐状部材５の取付位置は、着用者の胸部下から腰部に相当する位置であり、前記紐状部材５の先端部には、袖留め用把持具４が設けられていることを特徴とする、和装用エプロン１。【選択図】図１
0003118442.tif 000002
【実用新案登録請求の範囲】
【請求項１】
少なくとも着用者の胴体前部を被覆するエプロン本体と、前記エプロン本体の上部に取り付けられた首掛紐と、前記エプロン本体の両側側辺部それぞれに取り付けられた紐状部材とを有するエプロンであって、
前記紐状部材の取付位置は、着用した際に着用者の胸部下から腰部に相当する位置であり、前記紐状部材の先端部には、袖留め用把持具が設けられていることを特徴とする、和装用エプロン。
【請求項２】
前記紐状部材が長さ調節自在である、請求項１に記載のエプロン。
【請求項３】
前記エプロン本体の襟ぐりがV字形状である、請求項１または２に記載のエプロン。
【請求項４】
前記エプロン本体が撥水加工を施された生地からなる、請求項１〜３のいずれか１項に記載のエプロン。
【考案の詳細な説明】
【技術分野】
【０００１】
本考案は、和装時に着用して、和服の胴体前部及び袖の汚れを効果的に防止する、和装用エプロンに関する。
【背景技術】
【０００２】
和服は洋服のように気軽に丸洗いできるものではなく、シミなどの汚れがついた場合、手入れに手間がかかるのが通常である。このため、和服を着て食事をする際、特に正式な場で高価な和服を着る際には、和服を汚さないように気を配る必要がある。また、和服は袖が長いため、袖の端が料理や調味料等に触れやすく、汚れやすい。
【０００３】
このため、和服の衿元や帯にナプキンを挟み込んで和服の一部を覆い、さらにテーブル上の物を取る際には、片方の手で袖を押さえながら手を伸ばす必要があった。
【０００４】
しかし、ナプキンを挟み込んで使用した場合、ナプキンが滑り落ちる心配があり、且つ、外観上も和服の持つ優雅さが損なわれてしまう。また、袖を手で押さえながら食事をするのは面倒であり、片手しか使用できないため不便である。
【０００５】
このような問題を解決するものとして、例えば特許文献１の着物袖止め、あるいは特許文献２の着物用袖把持具がある。
【０００６】
しかし、特許文献１の着物袖止めでは、連結部の両端に把持部が設けられているため、両方の袖が互いに繋がれた状態となり、袖止め具が一方の袖側に引っ張られると、他方の袖まで引っ張られる関係にあり、動きが制限される可能性がある。また、連結部を設け、当該連結部の一方の端に把持部を設け、もう一方の端に差し込み部を設けた別の着物袖止めによれば、差し込み部を帯の間に挟んで係止できるが、一時的に着物に取り付けるだけの構成のため、差し込み部がはずれやすいという問題がある。
一方、特許文献２の着物用袖把持具は、予め装着しておく必要があり、手間がかかるという問題がある。
【０００７】
また、いずれの用具も袖を留めておくことができるだけであり、着物の胴体前部の汚れを防ぐことができないという問題がある。
【特許文献１】特開平０８−２４６２１２号公報
【特許文献２】登録実用新案３０４００８４号公報
【考案の開示】
【考案が解決しようとする課題】
【０００８】
本考案は、上記問題点に鑑み、和服の胴体前部及び袖部の汚れを効果的に防止できる和装用エプロンを提供することを課題とする。
【課題を解決するための手段】
【０００９】
前記課題は、少なくとも着用者の胴体前部を被覆するエプロン本体と、前記エプロン本体の上部に取り付けられた首掛紐と、前記エプロン本体の両側側辺部それぞれに取り付けられた紐状部材とを有するエプロンであって、
前記紐状部材の取付位置は、着用した際に着用者の胸部下から腰部に相当する位置であり、前記紐状部材の先端部には、袖留め用把持具が設けられていることを特徴とする、和装用エプロンによって解決された。
【００１０】
本考案にかかるエプロンは、少なくとも着用者の胴体前部を被覆するエプロン本体と、前記エプロン本体の上部に取り付けられた首掛紐とを有するため、首に掛けて着用し、胴体前部の汚れを防止することができる。また、前記エプロン本体の両側側辺部にはそれぞれ、着用した際に着用者の胸部下から腰部に相当する位置に、紐状部材が取り付けられており、該紐状部材の先端部には、袖留め用把持具が設けられているため、それぞれの紐状部材を着用者の胴体の後ろに回し、反対側の袖を袖留め用把持具で保持することにより、袖を背後から押さえておくことができる。
【００１１】
また、一本の紐状部材の両端に把持具が設けられた従来の袖留め具と異なり、一方の袖の動きが他方に影響を与えるおそれがない。そして、紐状部材の根本側は、着物自体ではなくエプロン本体に取り付けられているため、外れないようしっかりと固着させておくことができる。さらに、必要時に適宜着用できるため、着付けの際に予め装着しておく手間はかからない。
【００１２】
また、前記紐状部材の長さを調節自在に形成すれば、着用者の胴囲等に合わせて適宜調節可能である。
【００１３】
さらに前記エプロン本体の襟ぐりをV字形状とすれば、着物の衿の形状と合うため、和服の雰囲気がより損なわれない。
【００１４】
また、前記エプロン本体を構成する生地に撥水加工を施すことにより、シミや汚れが付きにくく、手入れのし易いエプロンとすることができる。
【考案の効果】
【００１５】
本考案によれば、エプロン本体により和服の胴体前部が覆われるため、胴体前部の汚れを防止することができ、また、それぞれの袖を背後から押さえておけるため、テーブルの上の物を取る際などに、袖を手で押さえなくても袖の汚れを防止することができる。
【考案を実施するための最良の形態】
【００１６】
本考案において、着用者の胴体前部を被覆するとは、肩から下腹部にかけての胴体前面の全てを覆うことを意味せず、半ば以上を覆うことを意味する。少なくとも胸部から腹部にかけてを覆うものが好ましい。
【００１７】
本考案において、紐状部材は、胴体の後ろに回して、先端の袖留め用把持具で反対側の袖を留めることができる長さに形成される必要がある。着用者自身が長さを調節できるよう、長さ調節具を設けることが好ましい。また、袖留め用把持具は、着物を傷つけることなくしっかりと保持できるものが好ましい。噛み合わせ構造を有し、布地をしっかり固定できるプラスチック製の挟持具などが好適である。
【００１８】
以下、実施例において、本考案に係る和装用エプロンをより詳細に説明する。
【実施例１】
【００１９】
図１は、本考案に係る和装用エプロン１の一実施形態を示す図であって、正面図である。本実施例では、エプロン本体２は、着用者の胴体前部の肩下付近から膝下までを覆う長さに形成され、エプロン本体の上部には首掛紐３が設けられている。また、エプロン本体２の両側側辺部には、着用した際、着用者の腰部付近に相当する位置に、先端部に袖留め用把持具４が設けられた紐状部材５が取り付けられている。また、エプロン本体２の襟ぐり９はＶ字形状に形成され、紐状部材５には長さ調節具６が設けられている。
【００２０】
本実施例では、袖留め用把持具４として、互い違いに噛み合う突部が形成された２枚の挟持板を有するプラスチック製の挟持具を用いているため、袖を確実に挟持することができる。また、首掛紐３の両端にも同様の挟持具７を設けて、エプロン本体２と首掛紐３とを着脱自在に構成している。したがって、首掛紐３に頭を通して着用する他、首掛紐３の一端をエプロン本体２から外して、首の後ろに紐３を巡らせた後、再度エプロン本体に取り付けることによっても着用できる。このため、髪型を乱す心配があるときには、首掛紐３の着脱によってエプロンの着用あるいは脱衣を行えばよい。また、袖留め用把持具４が先端についた紐状部材５も、同じ挟持具８を用いてエプロン本体２に着脱自在に形成されているため、自分で取付位置を調節することが可能である。
【００２１】
本実施例のエプロンを使用するにあたっては、首掛紐３を首にかけた後、図２に示すように、エプロン本体２に取り付けられた紐状部材５をそれぞれ胴体の後ろに回して、紐状部材５の先端に設けられた袖留め用把持具４で、反対側の袖（すなわち、エプロンの右側側辺部に取り付けられた紐状部材の把持具で左側の袖を留め、エプロン本体の左側側辺部に取り付けられた紐状部材の把持具で右側の袖を留める）の振りの辺りをそれぞれ把持すればよい。また、紐状部材５をおたいこの中に通して使用してもよい。このように着用すれば、袖を手で押さえておかなくても、袖留め用把持具４により、袖が後ろから引かれるため、テーブルの上の物を取るときなどに、袖が料理や調味料等に触れる心配がなく、袖を気にせず食事をすることができる。また、胴体前部はエプロン本体２で覆われるため、胴体前部を汚す心配をせずに食事を楽しむことができる。
食事の他、洗い物等の作業をするときにも便利である。
【００２２】
また、本実施例では、衿ぐり９を着物の衿の形状に合わせてＶ字形状としているため、着物の衿が隠れず、和服の持つ雰囲気がより損なわれない。また、エプロン本体２の上部から腰部にかけてのサイドライン１０を斜めの直線状に形成しているため（すなわち、エプロン本体の上部は全体として逆Ｗ字形状となるように形成されている）、着物の脇付近が押さえ付けられず、動き易い。
【００２３】
また、本実施例では、エプロン本体２の生地として縮緬を、首掛紐３にネックレス用チェーンを用い、胸元はビーズ細工で、首掛紐３や紐状部材５には飾玉を通して装飾性を高めている。そのため、披露宴やパーティ等の正式な場にも良く合い、和服の持つ優雅さを損なわずに着用することができる。また、着物に合わせて色や生地を選ぶことができるため、あらかじめテーブルにセットされているナプキンを用いるのと異なり、着物に合わせたお洒落を楽しむこともできる。
【００２４】
さらに本実施例の和装用エプロンは、エプロン本体２の生地に撥水加工（ガード加工）が施されているため、汚れが付きにくく、シミになりにくい。また、絹専用の撥水加工を用いているため、縮緬の風合いや色合いが損われず、縮みやカビからもガードされ、より実用性の高いエプロンとなっている。
【図面の簡単な説明】
【００２５】
【図１】図１は、本考案に係る和装用エプロンの一実施例であって、正面図である。
【図２】図２は、図１のエプロンを着用した状態を示す図であり、着用者を背後から見た図である。
【符号の説明】
【００２６】
１．和装用エプロン
２．エプロン本体
３．首掛紐
４．袖留め用把持具
５．紐状部材
６．長さ調節具
７．首掛紐とエプロン本体との連結具
８．紐状部材とエプロン本体との連結具
９．襟ぐり部分
１０．エプロン本体上部から腰部にかけてのサイドライン
【図１】
0003118442.tif 000003
【図２】
0003118442.tif 000004